(57)【要約】      （修正有）【課題】使い勝手を損ねることなく鋏の幅寸法を小さくし携帯の便を図る。【解決手段】柄２１、２２、及び刃線を有する刃片３１、３２をそれぞれ備えた対をなす鋏身１１、１２と、これら対をなす鋏身１１、１２を回動自在に結合する軸４とを有する鋏において、第１の鋏身１１の柄２１が使用者の親指Ｔによる操作力を受け付けるための第１の指掛けである第１の指掛環２１１ａを有し、第２の鋏身１２の柄２２が使用者の親指以外の指による操作力を受け付けるための第２の指掛けである第２の指掛環２２１ａを有し、前記第１の指掛環２１１ａが、前記第２の指掛環２２１ａよりも前記軸４に近い側に配され、かつ前記第２の指掛環２２１ａと異なる方向に開口する構成を採用する。【選択図】図１
2015146832.tif 000002
【特許請求の範囲】
【請求項１】
柄、及び刃線を有する刃片をそれぞれ備えた対をなす鋏身と、これら対をなす鋏身を回動自在に結合する軸とを有する鋏であって、
一方の鋏身の柄が使用者の親指による操作力を受け付けるための第１の指掛けを有し、
他方の鋏身の柄が使用者の親指以外の指による操作力を受け付けるための第２の指掛けを有し、
前記第１の指掛けが、前記第２の指掛けよりも前記軸に近い側に配され、かつ前記第２の指掛けと異なる方向に開口している鋏。
【請求項２】
前記第２の指掛けが、前記刃線同士が摺動する摺動面と垂直な方向に開口している請求項１記載の鋏。
【請求項３】
前記一方の鋏身の柄が、前記第１の指掛けと軸との間を接続する接続部と、前記第１の指掛けと、これら接続部と第１の指掛けとの間に設けられ一方の鋏身を他方の鋏身に向けて移動させるための操作力を受け付ける押圧部とを備えている請求項１又は２記載の鋏。
【請求項４】
前記押圧部の内面が、前記刃線同士が摺動する摺動面の法線に対して傾斜を有する傾斜部を備えている請求項１、２又は３記載の鋏。
【請求項５】
前記刃線の刃先側の部位に、両刃線がなす交差角度が略変化しないか又は切断位置が前記軸から遠ざかるに従って前記交差角度が大きくなる刃先側領域が設定されている請求項１、２、３又は４記載の鋏。
【発明の詳細な説明】
【技術分野】
【０００１】
本発明は、オフィスや学校等で好適に用いられる鋏に関する。
【背景技術】
【０００２】
鋏をペンケース等の収納具に収納して携帯するにあたっては、収納具内の限られた収納スペースに収納可能にすべく、特に柄の幅寸法を小さくすることが求められている。
【０００３】
鋏を閉じた状態における鋏の幅寸法を小さくするための構成として、一方の鋏身の柄の指掛け部よりも他方の鋏身の柄の指掛け部を軸に近い側に配するものが知られている（例えば、特許文献１を参照）。このようなものであれば、対をなす柄の指掛け部を同一の又は近接した巾方向位置に配することができるからである。
【０００４】
ところが、従来のこの種の鋏は指掛け部が同一方向に開口しているが、一方の鋏身の柄の指掛け部に使用者の親指、他方の鋏身の柄の指掛け部に使用者の親指以外の指を掛けてこの種の鋏を使用する際に、親指と他の指とは異なる方向に伸びている。そのため、切断操作を行う際の把持態様が不自然であり使い勝手が悪いという不具合が存在する。
【先行技術文献】
【特許文献】
【０００５】
【特許文献１】実開昭６１−１３４７８０号公報
【発明の概要】
【発明が解決しようとする課題】
【０００６】
本発明は以上の点に着目し、使い勝手を損ねることなく鋏の幅寸法を小さくし携帯の便を図ることを目的とする。
【課題を解決するための手段】
【０００７】
以上の課題を解決すべく、本発明に係る鋏は、以下に述べるような構成を有する。すなわち本発明に係る鋏は、柄、及び刃線を有する刃片をそれぞれ備えた対をなす鋏身と、これら対をなす鋏身を回動自在に結合する軸とを有する鋏であって、一方の鋏身の柄が使用者の親指による操作力を受け付けるための第１の指掛けを有し、他方の鋏身の柄が使用者の親指以外の指による操作力を受け付けるための第２の指掛けを有し、前記第１の指掛けが、前記第２の指掛けよりも前記軸に近い側に配され、かつ前記第２の指掛けと異なる方向に開口している。
【０００８】
このようなものであれば、第１の指掛けを第２の指掛けよりも軸に近い側に配することにより鋏を閉じた状態における鋏の幅寸法を小さくすることができる。その上で、第１の指掛けと第２の指掛けとが異なる方向に開口しているので、自然な態様でこの鋏を把持することができ、使いやすさの向上を図ることができる。
【０００９】
請求項２に記載の鋏は、請求項１記載の構成において、前記第２の指掛けが、前記刃線同士が摺動する摺動面と垂直な方向に開口しているものである。
【００１０】
請求項３に記載の鋏は、請求項１又は２記載の構成において、前記一方の鋏身の柄が、前記第１の指掛けと軸との間を接続する接続部と、前記第１の指掛けと、これら接続部と第１の指掛けとの間に設けられ一方の鋏身を他方の鋏身に向けて移動させるための操作力を受け付ける押圧部とを備えているものである。
【００１１】
請求項４に記載の鋏は、請求項１、２又は３記載の構成において、前記押圧部の内面が、前記刃線同士が摺動する摺動面の法線に対して傾斜を有する傾斜部を備えているものである。
【００１２】
請求項５に記載の鋏は、請求項１、２、３又は４記載の構成において、前記刃線の刃先側の部位に、両刃線がなす交差角度が略変化しないか又は切断位置が前記軸から遠ざかるに従って前記交差角度が大きくなる刃先側領域が設定されているものである。
【発明の効果】
【００１３】
本発明によれば、使い勝手を損ねることなく鋏の幅寸法を小さくし携帯の便を図ることができる。
【図面の簡単な説明】
【００１４】
【図１】本発明の一実施形態に係る鋏を示す全体斜視図。
【図２】同実施形態に係る鋏を示す全体正面図。
【図３】同実施形態に係る鋏を開いた状態を示す全体正面図。
【図４】同実施形態に係る鋏の柄を示す正面図。
【図５】同実施形態に係る鋏の柄及びその把持態様を示す側面図。
【図６】同実施形態に係る鋏の柄を示す平面図。
【図７】図５におけるＡ−Ａ断面図。
【図８】同実施形態に係る鋏及びその把持態様を示す斜視図。
【発明を実施するための形態】
【００１５】
本発明の一実施形態を、図１〜図８を参照しつつ以下に述べる。
【００１６】
本実施形態に係る鋏Ｈは、図１〜図３に示すように、第１の刃片３１を有する第１の鋏身１１と、前記第１の刃片３１と対をなす第２の刃片３２を有する第２の鋏身１２とを、支軸４を中心に回動自在に結合してなる。
【００１７】
前記第１の鋏身１１は、図１〜図３に示すように、第１の柄２１と、この第１の柄２１の前端に基端側を挿入して取り付けられる前記第１の刃片３１とから構成される。
【００１８】
前記第１の柄２１は、図１〜図８に示すように、使用者が親指Ｔを挿入するための指掛けたる第１の指掛環２１１ａ内に掛けておくための第１の操作部２１１と、前記第１の操作部２１１と支軸４との間を接続する接続部２１２とを備えている。そして、上述したように、この第１の柄２１の前端すなわち軸４に近い側の端に前記第１の刃片３１の基端側を挿入して取り付けるようにしている。
【００１９】
前記第１の刃片３１は、鋏Ｈを用いて紙葉類等を切断する際に、第２の刃片３２との間で紙葉類を挟むものである。この第１の刃片３１は、主にステンレスにより構成した金属板を素材とし、全体を一体的にプレス成形することにより形成してなる板状のものである。この金属板の厚さ寸法は任意である。また本実施形態では、この第１の刃片３１は、図１〜図３に示すように、前記第２の刃片３２と摺動可能かつ平坦な図示しない刃裏面と前記第２の刃片３２と反対側に向かう面である外面すなわち刃表面３１ｂとの間に、刃線３１ｃを形成している。さらに、この第１の刃片３１は、前記刃線３１ｃと反対側の側端縁に形成した刃峰３１ｄと、先端部に位置する刃先３１ｅと、基端部すなわち支軸４近傍に位置する刃元３１ｆとを具備する。加えて、前記刃線３１ｃには、刃元側領域３１ｃ１と刃先側領域３１ｃ２とを設定している。これら刃元側領域３１ｃ１と刃先側領域３１ｃ２とは隣接しており、刃線同士の交差角度は、これら刃元側領域３１ｃ１と刃先側領域３１ｃ２との境界で最小となる。すなわち、刃先側領域３１ｃ２の全域に亘って前記交差角度が前記境界における交差角度よりも大きい。そして、前述したように、この第１の刃片３１に、支軸４を介して前記第２の鋏身１２を構成する第２の刃片３２を取り付けている。
【００２０】
一方、第２の鋏身１２は、図１〜図３に示すように、第２の柄２２と、この第２の柄２２の前端に基端側を挿入して取り付けられる第２の刃片たる前記第２の刃片３２とから構成される。
【００２１】
前記第２の柄２２は、図１〜図６及び図８に示すように、使用者の親指Ｔ以外の指を所定の指掛け領域たる第２の指掛環２２１ａ内に掛けておくための第２の操作部２２１と、前記第２の操作部２２１と支軸４との間を接続する接続部２２２とを備えている。そして、上述したように、この第２の柄２２の前端すなわち軸４に近い側の端に前記第２の刃片３２の基端側を挿入して取り付けるようにしている。
【００２２】
前記第２の刃片３２は、前記第１の刃片３１と対をなし、鋏Ｈを用いて紙葉類等を切断する際に、第１の刃片３１との間で紙葉類を挟むものである。この第２の刃片３２も、前記第１の刃片３１と同様に、主にステンレスにより構成した金属板を素材とし、全体を一体的にプレス成形することにより形成してなる板状のものである。また本実施形態では、この第２の刃片３２は、図１〜図３に示すように、前記第１の刃片３１と摺動可能かつ平坦な刃裏面３２ａと前記第１の刃片３１と反対側に向かう面である外面すなわち図示しない刃表面との間に、刃線３２ｃを形成している。この刃線３２ｃの全長も任意である。さらに、この第２の刃片３２は、前記刃線３２ｃと反対側の側端縁に形成した刃峰３２ｄと、先端部に位置する刃先３２ｅと、基端部すなわち支軸４近傍に位置する刃元３２ｆとを具備する。
【００２３】
前記第１の刃片３１及び第２の刃片３２の刃線３１ｃ、３２ｃには、切断操作に伴って切断位置が前記軸から遠ざかるに従って両刃線３１ｃ、３２ｃがなす交差角度が漸次小さくなる曲線状の刃元側領域３１ｃ１、３２ｃ１と、この刃元側領域の刃先側に隣接し前記交差角度が略変化しないか又は切断位置が前記軸から遠ざかるに従って前記交差角度が大きくなる刃先側領域３１ｃ２、３２ｃ２とをそれぞれ設定している。前記刃元側領域３１ｃ１、３２ｃ１では、第１の刃片３１及び第２の刃片３２の幅寸法は略一定である。一方、前記刃先側領域３１ｃ２、３２ｃ２では、第１の刃片３１及び第２の刃片３２の幅寸法は刃先３１ｅ、３２ｅに近づくにつれ小さくなる。
【００２４】
ここで、第１の柄２１の構成についてさらに詳述する。
【００２５】
第１の柄２１は、図１〜図８に示すように、前記第１の操作部２１１と、前記第１の操作部２１１と支軸４との間を接続する前記接続部２１２と、これら接続部２１２と第１の操作部２１１との間に設けられ第１の鋏身１１を第２の鋏身１２に向けて移動させるための操作力を受け付ける押圧部２１３とを備えている。
【００２６】
前記第１の操作部２１１は、図１〜図８に示すように、内部に前記第１の指掛環２１１ａを有する円筒状の部材である。前記第１の指掛環２１１ａの中心軸線Ｌ１は、図５に示すように、第１の刃片３１の刃線３１ｃと第２の刃片３２の刃線３２ｃとが摺動する摺動面Ｐの法線Ｌ０と異なる方向に伸びている。より具体的には、前記中心軸線Ｌ１は、前記摺動面Ｐの法線Ｌ０と角度θ（＞０）をなしている。この角度θは、本実施形態では約３４度に設定している。また、前記中心軸線Ｌ１は、図７に示すように、鋏Ｈを閉じた状態において軸４及び刃先３１ｅを通る直線ＬＸと角度φ（＞０）をなしている。
【００２７】
前記接続部２１２は、図１〜図８に示すように、一端が前記第１の指掛環２１１ａと接続しており、前記直線ＬＸに沿って伸びている。
【００２８】
前記押圧部２１３は、図１〜図８に示すように、前記第１の指掛環２１１ａの前記接続部２１２との接続部位から前記軸４に最も近い部位までと前記接続部２１２とを接続する曲面板状の部位である。この押圧部２１３の内面２１３ａは、前記第１の指掛環２１１ａの内面２１１ｂと滑らかに連続している。鋏Ｈの使用時には、図５に示すように、使用者の親指Ｔがこの押圧部２１３の内面２１３ａ及び第１の指掛環２１１ａに接する。そして、この押圧部２１３の内面２１３ａのうち第１の接続部２１２に近い部位には、前記摺動面Ｐの法線Ｌ０に対して傾斜を有する傾斜部２１３ｂを備えている。この傾斜部２１３ｂは、使用者の手の親指Ｔを当てることにより親指Ｔを位置決めする機能を有する。なお、図４〜図７において網掛けを付した部位が傾斜部２１３ｂである。
【００２９】
次いで、第２の柄２２の構成についてさらに詳述する。
【００３０】
第２の柄２２は、図１〜図６及び図８に示すように、前記第２の操作部２２１と、前記第２の操作部２２１と支軸４との間を接続する前記接続部２２２とを備えている。なお、図６においては、第２の柄２２は想像線で示している。
【００３１】
前記第２の操作部２２１は、図１〜図６及び図８に示すように、使用者の親指Ｔ以外の指、最も好ましくは中指Ｆ２を掛けるための第２の指掛環２２１ａと、第２の指掛環２２１ａの外側に位置し使用者の薬指Ｆ３を添接させるための指掛突起２２１ｂとを備えている。前記第２の指掛環２２１ａの中心軸線Ｌ２は、前記摺動面Ｐの法線Ｌ０と同一方向に伸びている。ここで、第２の操作部２２１は、図１〜図５に示すように、第１の操作部２１１よりも軸４から離れた位置に配している。換言すれば、第１の操作部２１１は、第２の操作部２２１よりも軸４に近い位置に配している。
【００３２】
前記接続部２２２は、一端が前記第２の指掛環２２１ａと接続しており、略前記直線ＬＸに沿う方向に伸びている。また、この接続部２２２の外面のうち、前記第２の操作部２２１の軸４側端部に隣接する箇所には外方に膨出する凸部である案内凸部２２２ａを設けており、この案内凸部２２２ａの軸４側に使用者の人差し指Ｆ１を添接させるようにしている。
【００３３】
すなわち本実施形態の鋏Ｈを最も自然な把持態様で使用する際には、図５及び図８に示すように、使用者の人差し指Ｆ１、中指Ｆ２及び薬指Ｆ３が略同一方向に伸びた状態で中指Ｆ２を第２の指掛環２２１ａに挿し通し、人差し指Ｆ１を前記案内凸部２２２ａの軸４側に添接させ、薬指Ｆ３を指掛突起２２１ｂに添接させる。その上で、使用者の親指Ｔが人差し指Ｆ１、中指Ｆ２及び薬指Ｆ３と交差する方向に伸びた状態で親指Ｔを第１の指掛環２１１ａに挿し通し押圧部２１３の内面２１３ａの傾斜部２１３ｂに添接させる。このとき、親指Ｔは第１の指掛環２１１ａの中心軸線Ｌ１に沿って伸び、親指Ｔ以外の指は第１の指掛環２１１ａの中心軸線Ｌ１と異なる方向、より具体的には第２の指掛環２２１ａの中心軸線Ｌ２に沿う方向に伸びる。但し、第２の指掛環２２１ａには、親指Ｔ以外のどの指を挿し通してもこの鋏Ｈを使用することはできる。
【００３４】
すなわち、本実施形態の構成によれば、第１の操作部２１１を第２の操作部２２１よりも軸４に近い側に配することにより鋏Ｈを閉じた状態における鋏の幅寸法を小さくすることができる。その上で、第１の操作部２１１と第２の操作部２２１とが異なる方向に開口しているので、自然な態様でこの鋏を把持することができ、使いやすさの向上を図ることができる。
【００３５】
また、前記第２の操作部２２１が、前記刃線３１ｃ、３２ｃ同士が摺動する摺動面Ｐと垂直な方向に開口しているので、第１の刃片３１及び第２の刃片３２を紙葉類等の切断対象物と垂直に配し、使用感を損ねないようにすることができる。
【００３６】
さらに、第１の柄２１が、前記第１の操作部２１１と、前記接続部２１２と、これら接続部２１２と第１の操作部２１１との間に設けられ第１の鋏身１１を第２の鋏身１２に向けて移動させるための操作力を受け付ける押圧部２１３とを備えているので、使用者の親指Ｔをこの押圧部２１３の内面２１３ａに添接させ、親指Ｔによる操作力を面的に受けて第１の刃片３１に伝達させることができる。
【００３７】
そして、押圧部２１３の内面２１３ａが傾斜部２１３ｂを備えているので、使用者の親指Ｔをこの傾斜部２１３ｂに添接させて親指Ｔの位置決めを行い、把持態様を安定させることにより紙葉類を安定してまっすぐに切断することができる。
【００３８】
加えて、前記第１の刃片３１及び第２の刃片３２の刃線３１ｃ、３２ｃの刃先３１ｅ、３２ｅ側の部位に、両刃線３１ｃ、３２ｃがなす交差角度が略変化しないか又は切断位置が前記軸から遠ざかるに従って前記交差角度が大きくなる刃先側領域３１ｃ２、３２ｃ２をそれぞれ設定しているので、刃先近傍においても切断に要する荷重が小さく、このような鋏を用いた紙葉類の切断作業を容易に行うことができる。
【００３９】
なお、本発明は以上に述べた実施形態に限らない。
【００４０】
例えば、上述した実施形態では、第１及び第２の指掛けはいずれも環状であるが、柄同士が互いに相寄る方向及び互いに離間する方向への操作力の双方を受け付け可能なものであれば、一部が切り欠かれた形状のものであってもよい。
【００４１】
また、上述した実施形態では、第２の指掛けを刃線同士が摺動する摺動面と垂直な方向に開口させているが、第１及び第２の指掛けが異なる方向に開口していれば、自然な態様で把持することができるという効果は得ることができる。
【００４２】
さらに、上述した実施形態では、第１の柄が、第１の指掛けと軸との間を接続する接続部と、第１の指掛けと、これら接続部と第１の指掛けとの間に設けられ一方の鋏身を他方の鋏身に向けて移動させるための操作力を受け付ける押圧部とを備えているが、この押圧部は省略してもよく、また、押圧部を設ける場合であってもその形状は任意に設定してよい。
【００４３】
加えて、上述した実施形態では、第２の柄の第２の指掛けよりも軸に近い側に、使用者の人差し指の位置を案内するための凸部を備えているが、この凸部の形状は任意であり、また、このような凸部を省略し、例えば使用者の人差し指を収納するための凹部を設ける等、使用者の人差し指の位置を案内する他の手段を設ける態様や、使用者の人差し指の位置を案内する手段自体を省略する態様を採用してもよい。
【００４４】
その上、刃片は、樹脂製のもの等、金属以外の材質により形成されたものであってもよく、また、刃片と柄を同一の材質により形成してもよい。
【００４５】
さらに、上述した実施形態では、第１の指掛けが開口する方向（中心軸線が延伸する向き）は、第２の指掛けが開口する方向（中心軸線が延伸する向き）に対して約３４度をなすようにしているが、第１の指掛けが開口する方向と第２の指掛けが開口する方向とが異なるものであれば、換言すればこれらがなす角度が０度を上回るものであれば、９０度までの任意の角度に設定してよい。
【００４６】
そして、刃線の形状は、全体に亘って直線状や曲率半径が一定の曲線状等、任意に設定してよい。但し、上述した実施形態の構成によれば、前述したように、刃先近傍においても切断に要する荷重が小さくなるという効果が得られる。
【００４７】
加えて、左利きの使用者に対応するためには、図５に示すように配置した状態で全体が左右逆となる形状を採用するとよい。
【００４８】
その他、本発明の趣旨を損ねない範囲で種々に変更してよい。
【符号の説明】
【００４９】
Ｈ…鋏
１１、１２…（第１、第２の）鋏身
２１、２２…（第１、第２の）柄
２１１ａ…第１の指掛け（第１の指掛環）
２１２…第１の接続部
２１３…押圧部
２１３ｂ…傾斜部
２２１ａ…第２の指掛け（第２の指掛環）
２２２…第２の接続部
３１、３２…（第１、第２の）刃片
【図１】
2015146832.tif 000003
【図２】
2015146832.tif 000004
【図３】
2015146832.tif 000005
【図４】
2015146832.tif 000006
【図５】
2015146832.tif 000007
【図６】
2015146832.tif 000008
【図７】
2015146832.tif 000009
【図８】
2015146832.tif 000010